(57)【要約】【課題】本発明は、主スクリーンの終端に微動自在な補助スクリーンを設けることにより塵芥類の分離を完全に行う除塵機を提供することを目的とするものである。【解決手段】本発明は、水路Ａ内より水路Ａ外へ支持基台２よって架設される両側板３と、この両側板３間に配置される主スクリーン４と、この主スクリーン４の下部にガイドスプロケット５および駆動スプロケット８並びに補助スプロケット９により循環走行するレーキ１０と、主スクリーン４の終端に配置される補助スクリーン１１とから構成されるものである。【選択図】      図１
2004232263.tif 000002
【特許請求の範囲】
【請求項１】
水路中から水路外へ設置される主スクリーンと、該主スクリーンの下部の始端から終端に向けて上昇し、前記主スクリーンの終端で一定の距離を下降して循環走行するレーキと、該レーキに前記主スクリーンのバー間を通る櫛歯を備えた除塵機において、
前記主スクリーンの終端に、レーキに設けられる櫛歯が連続してバー間を通る補助スクリーンを備える
ことを特徴とする除塵機。
【請求項２】
前記補助スクリーンを主スクリーンの終端に対して前後、左右微動調整自在な機構とした
ことを特徴とする請求項１記載の除塵機。
【請求項３】
前記レーキを主スクリーンの終端で一定の距離を下降させる手段として駆動スプロケットの下方に補助ガイドスプロケットを設けた
ことを特徴とする請求項１又は２記載の除塵機。
【発明の詳細な説明】
【０００１】
【発明の属する技術分野】
本発明は、徐除塵機に関する。詳しくは上流水中より塵芥を補足して塵芥が下流側に流出するのを防ぐようにした除塵機に係るものである。
【０００２】
【従来の技術】
主に揚水機場のポンプ吸水槽に流れ込む水路には除塵機が設置されている。この除塵機は揚水機場のポンプの故障原因や送水端末に設けられる各種弁、ノズル等の作動不良となる塵芥を除去するために、スクリーンに捕捉した塵芥類を循環走行式のレーキにより掻き上げて除去する機構の除塵機が知られている。
【０００３】
この種の除塵機は例えば図１０に示すものがある（例えば、特許文献１参照。）。この除塵機は水路１０１中には支持フレーム１０２を介して主スクリーン１０３が上下方向に配設されている。この主スクリーン１０３は、縦格子状のバースクリーンからなる。又主スクリーン１０３の両側にはチェーン１０４が設けられており、このチェーン１０４は上流側では上昇し、下流側では下降するように循環走行する機構とされ、このチェーン１０４にレーキ１０５が固定されている。更にこのレーキ１０５に主スクリーン１０３のバー間を通る位置に櫛歯１０６が直交状に設けられている。
【０００４】
また、水路１０１中の底面１０７から主スクリーン１０３の下端部の前方位置まで立上がる補助スクリーン１０８が設けられ、この補助スクリーン１０８は円弧状で、ほぼ全体がレーキ１０５の軌跡に沿っている。これにより、レーキ１０５の櫛歯１０６は、補助スクリーン１０８のバー間を主スクリーン１０３の下端の下方位置よりも後方位置から上端に至るまで通る。
【０００５】
これにより、補助スクリーン１０８の下部および主スクリーン１０３に捕捉された塵芥類が櫛歯１０６によって上方へ掻き上げられて主スクリーン１０３の終端より集塵ボックス１０９内へ投下される構成とされるものである。
【０００６】
【特許文献１】
特開平７−４２１３１号（第１図参照。）
【０００７】
【発明が解決しようとする課題】
しかしながら主スクリーン１０３上に捕捉される塵芥類は櫛歯１０６によって主スクリーン１０３の終端へ掻き上げられるものであるが、主スクリーン１０３の終端からチェーン１０４を駆動回転させる駆動スプロケット１１０により櫛歯１０６が離れるタイミングは駆動スプロケット１１０の直径によって異なり、主スクリーン１０３の終端と駆動スプロケット１１０との位置関係が非常に難しい問題がある。
【０００８】
また、小さい塵芥や櫛歯１０６に付着し易い塵芥類では、駆動スプロケット１１０によって主スクリーン１０３の終端から急に円弧状の走行となるために櫛歯１０６から塵芥類が落下することなく巻き込んだ状態で再び下流側の水中を通ることによって充分な除塵が行えない問題がある。
【０００９】
本発明は、以上の点に鑑みて創案されたものであって、主スクリーンの終端に微動自在な補助スクリーンを設けることにより塵芥類の分離を完全に行う除塵機を提供することを目的とするものである。
【００１０】
【課題を解決するための手段】
上記の目的を達成するために、本発明に係る除塵機は、水路中から水路外へ設置される主スクリーンと、該主スクリーンの下部の始端から終端に向けて上昇し、前記主スクリーンの終端で一定の距離を下降して循環走行するレーキと、該レーキに前記主スクリーンのバー間を通る櫛歯を備えた除塵機において、前記主スクリーンの終端に、レーキに設けられる櫛歯が連続してバー間を通る補助スクリーンを備える。
【００１１】
ここで、主スクリーンの終端において主スクリーンとレーキとの間のしさの噛み込みを軽減させるために、駆動スプロケット側に補助スプロケットを設けてしさの巻き込み角度を一定にし、かつ主スクリーン終端より補助スプロケット間に補助スクリーンを設けることによってレーキに設けられる櫛歯によって主スクリーンより掻き出すことができなかった塵芥類を補助スクリーンより完全に掻き出すことが可能となる。
【００１２】
【発明の実施の形態】
以下、本発明の実施の形態を図面を参酌しながら説明し、本発明の理解に供する。
【００１３】
図１に、本発明を適用した除塵機の一例を説明するための側面図、図２に図１における平面図を示す。ここで示す除塵機本体１は、水路Ａ内より水路Ａ外へ支持基台２よって架設される両側板３と、この両側板３間に配置される主スクリーン４と、この主スクリーン４の下部にガイドスプロケット５および駆動スプロケット８並びに補助スプロケット９により循環走行するレーキ１０と、主スクリーン４の終端に配置される補助スクリーン１１とから構成されるものである。
更に除塵機本体１の始端側には流水を取り入れるためのホッパー６および除塵機本体１の終端側には離脱される塵芥類を回収するための集塵箱７が配置されるものである。
【００１４】
ここで、レーキ１０は図３および図４にそれぞれ示すようにガイドスプロケット５および駆動スプロケット８並びに補助スプロケット９（図示せず。）の両側に装着される左右のチェーン１２間に渡設される主スクリーン４を支える板体である。
【００１５】
これらレーキ１０は、その両端が左右のチェーン１２を構成するチェーンリンク１３の端部に設けられる連結板１４にボルト・ナットなどの締結部材１５によって連結されている。
【００１６】
そして所要間隔ごとの各レーキ１０には櫛歯１６が固定されており、これら櫛歯１６は前記レーキ１０の進行方向に対して垂直状に突設され、更に主スクリーン４の各バー１７間より突出した状態で設置されている。
【００１７】
従って前記各レーキ１０は主スクリーン４を下部より支持すると共に、主スクリーン４の各バー１７間より突出した櫛歯１６が主スクリーン４の始端から終端に向けて順次走行することとなる。
【００１８】
次に図５および図６にそれぞれ示すように、主スクリーン４の終端は駆動スプロケット８の円周に応じて半円弧状に折曲形成されている。そして駆動スプロケット８の下方位置には補助スプロケット９が配置されており、この駆動スプロケット８と補助スプロケット９との二軸機構によって主スクリーン４とレーキ１０との間の噛み込み角度を大きくすることによって櫛歯１６によって掻き揚げられた塵芥類が主スクリーン４の終端により離脱する時に主スクリーン４の各バー１７との負荷を軽減させることが可能となる。
【００１９】
また、駆動スプロケット８は図２に示すように駆動モーター１８の駆動軸との間に掛け渡して成る駆動用チェーン１９によって駆動回転させる駆動機構を備えるものである。
更に補助スプロケット９は下方向へ延出された長穴２０によって軸位置の調整が自在に行える機構とすることによってチェーン１２の着脱が容易に行えると共に、チェーン１２へのテンションの調整が自在に行える構成とするものである。
【００２０】
ここで、駆動スプロケット８と補助スプロケット９との間に補助スクリーン１１が配置されるものであり、この補助スクリーン１１は主スクリーン４の終端の各バー１７間と連通状となるように配置され、更に両側板３に開口される位置調整用長穴２１と補助スクリーン取付け板２２に穿孔される取付け用穴２３とをボルト・ナットなどの締結部材１５によって互いに連結することにより前後の微調整および前後方向への微角度調整が自在に行える構成とするものである。
【００２１】
そこで補助スクリーン１１は図７および図８並びに図９にそれぞれ示すように、両側板（図示せず。）に締結部材によって着脱自在とされる左右の補助スクリーン取付け板２２間に角パイプ状のスクリーン支持部２３が渡設される。
【００２２】
そしてスクリーン支持部２４に主スクリーン４の各バー１７間隔と同間隔ごとにスクリーン羽根板２５の端部が溶接などによって固着されるものである。更にスクリーン羽根板２５の上端が尖角状に形成されており、主スクリーン４の各バー１７間を走行する櫛歯（図示せず。）が主スクリーン４の終端より補助スクリーン１１の各スクリーン羽根板２５間に進入する際に支障なくスムーズな走行が行える機構とするものである。
【００２３】
なお、補助スクリーンは必ずしも両側板に開口される位置調整用長穴によって前後微動調整できる機構とする必要性は無く、締結部材を緩めることによって微動調整を行い、締結部材を締めることで位置決めを行えるものであればいかなる機構のものであっても良い。
【００２４】
更に、補助スクリーンは必ずしもスクリーン支持部にスクリーン羽根板の端部が固着される必要性は無く、主スクリーンの終端に連通状に配置され、櫛歯が支障なく走行できる機構のものであればいかなるものであっても良い。
【００２５】
以上の構成より成る本発明では図１に示すように、水路Ａより放流される貯水地などにおける水は、除塵機本体１の主スクリーン４上に流下する。そして主スクリーン４に流下する水は主スクリーン４の各バー（図示せず。）間を通り、下流側へ流れ込むが、水に含まれる塵芥類は主スクリーン４の各バーを通らずに主スクリーン４上に残置することとなる。
【００２６】
そして主スクリーン４上に残置される塵芥類は主スクリーン４の始端から終端に向けて循環走行するレーキ１０の設けられる櫛歯１６によって主スクリーン４の終端側へと掻き上げられる。
【００２７】
そこで図５に示すように、レーキ１０は駆動スプロケット８と補助スプロケット９との二軸機構によって主スクリーン４とレーキ１０との間の噛み込み角度を大きくすることによって櫛歯１６によって掻き揚げられた塵芥類が主スクリーン４の終端により離脱する時に主スクリーン４の各バー１７との負荷を軽減させることが可能となる。
【００２８】
また補助スクリーン１１によって主スクリーン４終端より離脱できなかった塵芥類は補助スクリーン１１によって捕捉され、櫛歯１６によって巻き込まれずに、スクリーン羽根板２４下端より確実に離脱することが可能となる。
【００２９】
更にチェーン１２の着脱は補助スプロケット９の移動調整を行うことによってチェーン１２を緩めて容易に行うことが可能となると共に、チェーンテンションの調整が自在に行えることが可能となる。
【００３０】
【発明の効果】
以上述べて来た如く本発明によれば、リターンコンベアー側を二軸機構とすることで主スクリーンとレーキとの間のしさの噛み込みを軽減することが可能となる。更に二軸間に補助スクリーンを配置することによって主スクリーン終端より離脱できなかった塵芥類を捕捉して確実に離脱することが可能となるために塵芥類の巻き込みを防止することが可能となる。
【図面の簡単な説明】
【図１】本発明を適用した除塵機の一例を説明するための側面図である。
【図２】図１における平面説明図である。
【図３】本発明を適用した除塵機のレーキと主スクリーンとの機構の一例を説明するための側面図である。
【図４】図３における平面説明図である。
【図５】本発明を適用した除塵機の終端側を示す要部拡大側面説明図である。
【図６】図５における終端側からの正面説明図である。
【図７】本発明を適用した除塵機の補助スクリーンの一例を示す側面説明図である。
【図８】図７における正面説明図である。
【図９】図７における平面説明図である。
【図１０】従来の除塵機の一例を示す説明図である。
【符号の説明】
１      除塵機本体
２      支持基台
３      側板
４      主スクリーン
５      ガイドスプロケット
６      ホッパー
７      集塵箱
８      駆動スプロケット
９      補助スプロケット
１０    レーキ
１１    補助スクリーン
１２    チェーン
１３    チェーンリンク
１４    連結板
１５    締結部材
１６    櫛歯
１７    バー
１８    駆動モーター
１９    駆動用チェーン
２０    長穴
２１    位置調整用長穴
２２    補助スクリーン取付け板
２３    取付け用穴
２４    スクリーン支持部
２５    スクリーン羽根板
【図１】
2004232263.tif 000003
【図２】
2004232263.tif 000004
【図３】
2004232263.tif 000005
【図４】
2004232263.tif 000006
【図５】
2004232263.tif 000007
【図６】
2004232263.tif 000008
【図７】
2004232263.tif 000009
【図８】
2004232263.tif 000010
【図９】
2004232263.tif 000011
【図１０】
2004232263.tif 000012